(57)【要約】【課題】貨幣処理装置において、製造コストを抑制しつつ、装置の双頭運用を実現する。【解決手段】貨幣処理装置１は、操作者に対して画面を表示すると共に、操作者による第１操作を受け付けて、所定の第１処理を開始させるよう構成された操作表示部４０と、第１処理を実行する制御部５０と、を備える。操作表示部４０は、制御部５０が第１処理を実行している最中、該第１処理とは関連しない第２処理を開始するための第２操作を受け付けると共に、操作者に対し、第２操作を受け付けるための画面を表示するように構成されている。【選択図】図５
2018049306.tif 000002
【特許請求の範囲】
【請求項１】
貨幣を処理する貨幣処理装置であって、
操作者に対して画面を表示する表示部と、
前記操作者による第１操作を受け付けて、所定の第１処理を開始させるよう構成された操作部と、
前記第１処理を実行する制御部と、を備え、
前記操作部は、前記制御部が前記第１処理を実行している最中、該第１処理とは関連しない第２処理を開始するための第２操作を受け付けると共に、
前記表示部は、前記第２操作を受け付けるための画面を表示するように構成されている貨幣処理装置。
【請求項２】
前記表示部は、
前記制御部が前記第１処理を実行している最中、該第１処理と関連した情報が配置された第１画面を表示する一方、
前記操作部が前記第２操作を受け付けるときには、前記第１画面から、前記第２操作を受け付けるための情報が配置された第２画面へ表示を切り替えるように構成されている請求項１に記載の貨幣処理装置。
【請求項３】
前記操作部は、前記第１操作を行った操作者である第１の操作者とは異なる第２の操作者がログインした場合には、前記第２画面において、前記第２の操作者による前記第２操作を受け付けるよう構成されている請求項２に記載の貨幣処理装置。
【請求項４】
前記制御部は、前記第２の操作者がログインした後、前記第１の操作者が再び操作する場合には、該第１の操作者に対し権限認証を要求するよう構成されている請求項３に記載の貨幣処理装置。
【請求項５】
前記操作部は、タッチパネルであって、
前記タッチパネルは、該タッチパネルに対する所定の操作に基づいて、前記第１画面と前記第２画面との間で切り替わるように構成されている請求項２〜４のいずれか１項に記載の貨幣処理装置。
【請求項６】
前記制御部は、前記操作部が前記第２操作を受け付けたとき、前記第１処理を中断しかつ、前記第２処理を開始するよう構成されている請求項１〜５のいずれか１項に記載の貨幣処理装置。
【請求項７】
前記制御部は、前記操作部が前記第２操作を受け付けたとき、前記第１処理と、前記第２処理とを並行して実行するよう構成されている請求項１〜５のいずれか１項に記載の貨幣処理装置。
【請求項８】
前記制御部は、前記操作部が前記第２操作を受け付けたとき、前記第１処理を完了した後に、前記第２処理を開始するよう構成されている請求項１〜５のいずれか１項に記載の貨幣処理装置。
【請求項９】
貨幣を取り込む入金部を備え、
前記制御部は、前記第１処理、又は、前記第２処理として、前記入金部を介して貨幣を取り込む入金処理を実行するように構成されている請求項１〜８のいずれか１項に記載の貨幣処理装置。
【請求項１０】
貨幣を払い出す出金部を備え、
前記制御部は、前記第１処理、又は、前記第２処理として、前記出金部を介して貨幣を払い出す出金処理を実行するように構成されている請求項１〜８のいずれか１項に記載の貨幣処理装置。
【請求項１１】
前記出金部は、該出金部を開閉するシャッタを有し、
前記制御部は、前記出金処理において貨幣を出金するときに、現在ログインしている操作者が、前記出金処理を指示した操作者と同一か否かを判定し、同じ場合には、前記シャッタを開放するよう構成されている請求項１０に記載の貨幣処理装置。
【請求項１２】
前記制御部は、前記第１処理、又は、前記第２処理として、装置の設定変更を実行するように構成されている請求項１〜８のいずれか１項に記載の貨幣処理装置。
【請求項１３】
貨幣を処理する貨幣処理装置と、操作者による入力に基づいて、前記貨幣処理装置を操作する操作端末と、を備えた貨幣処理システムであって、
前記操作端末は、前記操作者に対して画面を表示すると共に、前記操作者による第１操作を受け付けて、前記貨幣処理装置において、所定の第１処理を開始させるよう構成されており、
前記貨幣処理装置は、前記第１処理を実行する制御部を備え、
前記操作端末は、前記制御部が前記第１処理を実行している最中、該第１処理とは関連しない第２処理を開始するための第２操作を受け付けると共に、前記操作者に対し、前記第２操作を受け付けるための画面を表示するように構成されている貨幣処理システム。
【請求項１４】
第１操作を受け付ける工程と、
前記第１操作に基づいて、貨幣に関する所定の第１処理を開始する工程と、
前記第１処理を実行している最中に、前記第１処理とは関連しない第２処理を開始するための第２操作を受け付ける工程と、
前記第２操作を受け付けるための画面を表示する工程と、を備えている貨幣処理方法。
【発明の詳細な説明】
【技術分野】
【０００１】
ここに開示する技術は、貨幣処理装置、貨幣処理システム、及び、貨幣処理方法に関する。
【背景技術】
【０００２】
特許文献１には、貨幣処理装置の一例が開示されている。具体的に、特許文献１に開示された装置（現金処理装置）は、取引項目の選択操作を受け付ける２つの操作部と、各操作部に対応する取引項目を表示する２つの表示部とを備えている。この装置は、双頭運用を行うシステムとして構成されており、一方の操作部を介して所定の処理を開始させたときに、他方の操作部に対し、それとは関連しない別の処理を開始させるための操作入力を行うことができる。この構成によれば、例えば、硬貨の出金中に紙幣の入金を指示したり、貨幣の入出金と装置の設定変更とを同時に行ったりすることが可能になる。
【先行技術文献】
【特許文献】
【０００３】
【特許文献１】特開平７−２７１８７０号公報
【発明の概要】
【発明が解決しようとする課題】
【０００４】
ところが、前記特許文献１に記載の装置のように、複数の操作部を設ける構成は、製造コストの高騰を招くため好ましくない。しかし、操作部の数を減らしてしまっては、前述のような双頭運用を実現するには不都合である。
【０００５】
ここに開示する技術は、かかる点に鑑みてなされたものであり、その目的とするところは、貨幣処理装置において、製造コストを抑制しつつ、装置の双頭運用を実現することにある。
【課題を解決するための手段】
【０００６】
ここに開示する技術は、貨幣を処理する貨幣処理装置に係る。この装置は、貨幣を処理する貨幣処理装置であって、操作者に対して画面を表示する表示部と、前記操作者による第１操作を受け付けて、所定の第１処理を開始させるよう構成された操作部と、前記第１処理を実行する制御部と、を備えている。
【０００７】
そして、前記操作部は、前記制御部が前記第１処理を実行している最中、該第１処理とは関連しない第２処理を開始するための第２操作を受け付けると共に、前記表示部は、前記第２操作を受け付けるための画面を表示するように構成されている。
【０００８】
ここで、「表示部」と「操作部」とは、例えばディスプレイ及びキーボードのように、別体として構成してもよいし、タッチパネルのように一体的に構成してもよい。
【０００９】
また、「第１処理」及び「第２処理」には、貨幣の搬送を伴う処理と、装置の設定変更とが含まれる。
【００１０】
この構成によると、操作部は、第１処理の最中に、その第１処理とは関連しない第２操作を受け付ける。また、表示部は、その第２操作を受け付けるための画面を表示する。
【００１１】
このように、操作部及び表示部によって、第１処理の最中にも拘わらず、第２処理を開始するための操作を行うことができるから、製造コストを抑制しつつ、装置の双頭運用を実現することが可能になる。
【００１２】
また、前記表示部は、前記制御部が前記第１処理を実行している最中、該第１処理と関連した情報が配置された第１画面を表示する一方、前記操作部が前記第２操作を受け付けるときには、前記第１画面から、前記第２操作を受け付けるための情報が配置された第２画面へ表示を切り替えるように構成されている、としてもよい。
【００１３】
この構成によると、表示部において、第１処理に関連した情報と、第２処理に関連した情報とを切り替えて表示することが可能になる。そのことで、製造コストを抑制しつつ、装置の双頭運用を実現する上で有利になる。
【００１４】
また、前記操作部は、前記第１操作を行った操作者である第１の操作者とは異なる第２の操作者がログインした場合には、前記第２画面において、前記第２の操作者による前記第２操作を受け付けるよう構成されている、としてもよい。
【００１５】
この構成によれば、第１の操作者から第２の操作者へ交代したときには、その第２操作者に対し、ログインを要求するようになっている。これにより、複数の操作者が入れ替わりながら操作するような状況に対応し、ひいては、装置の双頭運用を行う上で有利になる。
【００１６】
また、前記制御部は、前記第２の操作者がログインした後、前記第１の操作者が再び操作する場合には、該第１の操作者に対し権限認証を要求するよう構成されている、としてもよい。
【００１７】
この構成によれば、複数の操作者が入れ替わりながら操作するような状況に対応し、ひいては、装置の双頭運用を行う上で有利になる。
【００１８】
また、前記操作部は、タッチパネルであって、前記タッチパネルは、該タッチパネルに対する所定の操作に基づいて、前記第１画面と前記第２画面との間で切り替わるように構成されている、としてもよい。
【００１９】
この構成は、第１画面と第２画面との間の切替を実現し、ひいては装置の双頭運用を行う上で有効である。
【００２０】
また、前記制御部は、前記操作部が前記第２操作を受け付けたとき、前記第１処理を中断しかつ、前記第２処理を開始するよう構成されている、としてもよい。
【００２１】
この構成によれば、第２処理を第１処理に割り込ませることが可能になる。そのことで、装置の双頭運用を行う上で有利になる。
【００２２】
また、前記制御部は、前記操作部が前記第２操作を受け付けたとき、前記第１処理と、前記第２処理とを並行して実行するよう構成されている、としてもよい。
【００２３】
この構成によれば、第１処理と、第２処理とを同時に行うことが可能になる。そのことで、装置の双頭運用を行う上で有利になる。
【００２４】
また、前記制御部は、前記操作部が前記第２操作を受け付けたとき、前記第１処理を完了した後に、前記第２処理を開始するよう構成されている、としてもよい。
【００２５】
この構成によれば、第１処理の最中に、第２処理を予約することが可能になる。そのことで、装置の双頭運用を行う上で有利になる。
【００２６】
また、貨幣を取り込む入金部を備え、前記制御部は、前記第１処理、又は、前記第２処理として、前記入金部を介して貨幣を取り込む入金処理を実行するように構成されている、としてもよい。
【００２７】
また、貨幣を払い出す出金部を備え、前記制御部は、前記第１処理、又は、前記第２処理として、前記出金部を介して貨幣を払い出す出金処理を実行するように構成されている、としてもよい。
【００２８】
さらに、前記出金部は、該出金部を開閉するシャッタを有し、前記制御部は、前記出金処理において貨幣を出金するときに、現在ログインしている操作者が、前記出金処理を指示した操作者と同一か否かを判定し、同じ場合には、前記シャッタを開放するよう構成されている、としてもよい。
【００２９】
この構成によれば、複数の操作者が入れ替わりながら操作するような状況に対応し、ひいては、装置の双頭運用を行う上で有利になる。
【００３０】
また、前記制御部は、前記第１処理、又は、前記第２処理として、装置の設定変更を実行するように構成されている、としてもよい。
【００３１】
ここに開示する別の技術は、貨幣を処理する貨幣処理装置と、操作者による入力に基づいて、前記貨幣処理装置を操作する操作端末と、を備えた貨幣処理システムに係る。このシステムにおいて、前記操作端末は、前記操作者に対して画面を表示すると共に、前記操作者による第１操作を受け付けて、前記貨幣処理装置において、所定の第１処理を開始させるよう構成されており、前記貨幣処理装置は、前記第１処理を実行する制御部を備えている。
【００３２】
そして、前記操作端末は、前記制御部が前記第１処理を実行している最中、該第１処理とは関連しない第２処理を開始するための第２操作を受け付けると共に、前記操作者に対し、前記第２操作を受け付けるための画面を表示するように構成されている。
【００３３】
この構成によれば、製造コストを抑制しつつ、装置の双頭運用を実現することが可能になる。
【００３４】
ここに開示する別の技術は、貨幣処理方法に係る。この方法は、第１操作を受け付ける工程と、前記第１操作に基づいて、貨幣に関する所定の第１処理を開始する工程と、前記第１処理を実行している最中に、前記第１処理とは関連しない第２処理を開始するための第２操作を受け付ける工程と、前記第２操作を受け付けるための画面を表示する工程と、を備えている。
【００３５】
この構成によれば、製造コストを抑制しつつ、装置の双頭運用を実現することが可能になる。
【発明の効果】
【００３６】
以上説明したように、前記の貨幣処理装置によると、製造コストを抑制しつつ、装置の双頭運用を実現することができる。
【図面の簡単な説明】
【００３７】
【図１】図１は、貨幣処理装置の外観図である。
【図２】図２は、バラ紙幣処理部の概略構成図である。
【図３】図３は、貨幣処理装置の構成を示すブロック図である。
【図４】図４は、貨幣処理装置が行う処理を例示するフローチャートである。
【図５】図５は、貨幣処理装置の画面遷移を例示する図である。
【図６】図６は、貨幣処理装置が行う処理の別例を示すフローチャートである。
【図７】図７は、貨幣処理装置が行う処理のさらなる別例を示すフローチャートである。
【図８】図８は、貨幣処理システムのシステム構成を例示する図である。
【図９】図９は、画面遷移の別例を示す図である。
【発明を実施するための形態】
【００３８】
以下、実施形態を図面に基づいて詳細に説明する。尚、以下の説明は例示である。
【００３９】
〈貨幣処理装置の概略構成〉
図１は、貨幣処理装置１の外観を示している。貨幣処理装置１は、貨幣を処理する多機能装置であって、一般に、銀行やスーパーマーケット等の分野において出納機として用いられるようになっている。
【００４０】
尚、以下の説明において、バラ状態の貨幣を「バラ貨幣」という場合がある。バラ状態の紙幣、いわゆる「バラ紙幣」に関しては、単に「紙幣」という場合もある。
【００４１】
貨幣処理装置１は、複数の装置を組み合わせて構成されている。具体的に、図１に示す貨幣処理装置１は、紙幣を処理する紙幣処理装置１０と、硬貨を処理する硬貨処理装置２０と、種々の伝票を発行するプリンタ（図３にのみ図示）３０と、操作者に対するヒューマンインターフェース部分である操作表示部４０と、貨幣処理装置１全体を制御する制御部５０と、を備えて構成されている。また、これらの装置に加えて、例えば小切手や商品券等の有価媒体を処理する装置を併設したり、紙幣処理装置１０や硬貨処理装置２０を増設したりしてもよい。
【００４２】
図１に示すように、紙幣処理装置１０は、バラ紙幣を処理するバラ紙幣処理部１００と、束紙幣を処理する束紙幣処理部２００とから構成されている。その一方で、硬貨処理装置２０は、バラ硬貨を処理するバラ硬貨処理部３００と、包装硬貨を処理する包装硬貨処理部４００とから構成されており、束紙幣処理部２００、バラ紙幣処理部１００、包装硬貨処理部４００、及び、バラ硬貨処理部３００は、左方からこの順で設置されている。また、バラ硬貨処理部３００の上面には、前述の操作表示部４０が配置されている。
【００４３】
本明細書では、貨幣処理装置１のうち、特にバラ紙幣の処理に関する構成を中心に説明する。そこで、まず、バラ紙幣処理部１００について詳細に説明する。
【００４４】
図２は、バラ紙幣処理部１００の概略構成図である。バラ紙幣処理部１００は、バラ紙幣を金種別に収納するように構成されており、バラ紙幣の入出金等を行うことができる。
【００４５】
図１に示すように、バラ紙幣処理部１００は、束紙幣処理部２００の右隣かつ、包装硬貨処理部４００の左隣に設置されている。バラ紙幣処理部１００は、略直方状の筐体１０１を有しており、筐体１０１前面の上部には、入金されるバラ紙幣を受け入れるための入金口１０２と、その入金口１０２を開閉するシャッタ１０２ａと、が設けられている。図２に示すように、入金口１０２は、バラ紙幣を装置内に取り込む入金部１１０に通じている。また、筐体１０１上面の前部には、出金されるバラ紙幣を排出するための出金口１０３と、その出金口１０３を開閉するシャッタ１０３ａと、が設けられている。出金口１０３は、バラ紙幣を装置外へ払い出す出金部１５２に通じている。
【００４６】
図２に示すように、入金口１０２を介して入金部１１０へ投入されたバラ紙幣は、繰出部１１２により一枚ずつ、装置内へ繰り出され、入金搬送部１１４により搬送される。入金搬送部１１４には入金識別部１１６が介設されている。入金識別部１１６は、搬送される紙幣の金種、真偽、正損、及び、新旧等を識別するように構成されている。
【００４７】
入金搬送部１１４のうち入金識別部１１６よりも下流側（具体的には、紙幣の搬送方向の下流側）の部分には、表裏反転部１１８が設けられている。表裏反転部１１８は、入金識別部１１６によって識別された紙幣の表裏を揃えるように構成されている。
【００４８】
入金搬送部１１４のうち表裏反転部１１８よりも下流側の部分には、入金リジェクト部１２０と、１つの一括一時保留部１３０と、複数（例えば４つ）の金種別一時保留部１３２とが接続されている。
【００４９】
入金リジェクト部１２０には、入金識別部１１６によって正常な紙幣ではないと識別された紙幣、すなわちリジェクト紙幣が搬送される。入金リジェクト部１２０は、筐体１０１前面に開口したリジェクト口（不図示）に通じており、リジェクト紙幣は、入金リジェクト部１２０からリジェクト口を介してリジェクトされるようになっている。
【００５０】
一括一時保留部１３０には複数金種の紙幣が混合状態で保留され、複数の金種別一時保留部１３２にはそれぞれ特定の金種の紙幣が一時的に保留される。
【００５１】
また、１つの一括一時保留部１３０、及び、複数の金種別一時保留部１３２の下方には、一括一時保留部１３０に対応した１つの一括紙幣収納庫１４０と、金種別一時保留部１３２の各々に対応した複数（例えば４つ）の金種別紙幣収納庫１４２とが設けられている。一括紙幣収納庫１４０には、一括一時保留部１３０から送られた紙幣が積層状態で収納され、金種別紙幣収納庫１４２の各々には、対応する金種別一時保留部１３２から送られた紙幣が積層状態で収納される。
【００５２】
１つの一括紙幣収納庫１４０、及び、複数の金種別紙幣収納庫１４２には、それぞれ、紙幣繰出部（図２には単に「繰出部」と図示）１４４が設けられている。紙幣繰出部１４４は、一括紙幣収納庫１４０、及び、各金種別紙幣収納庫１４２に収納された紙幣を１枚ずつ繰り出すよう構成されている。
【００５３】
各紙幣繰出部１４４の下方には、下部搬送部１４６が接続されている。下部搬送部１４６は、紙幣繰出部１４４により繰り出された紙幣を１枚ずつ搬送する。詳しくは、下部搬送部１４６の上流側部分は、複数の搬送路に分岐していると共に、それぞれの搬送路が、紙幣繰出部１４４の各々に接続されている。その一方で、下部搬送部１４６の下流側部分は、１つの搬送路を構成しており、出金識別部１４８に接続されている。出金識別部１４８は、搬送される紙幣の金種、真偽、正損、及び、新旧等を識別する。出金識別部１４８により識別された紙幣は、出金搬送部１５０によって１枚ずつ搬送されるようになっている。
【００５４】
出金搬送部１５０には、出金部１５２と、出金リジェクト部１５４と、２つの整理一時保留部１６０と、が接続されている。出金搬送部１５０は、出金識別部１４８により識別された紙幣のうち、装置外に出金される紙幣を出金部１５２へ搬送し、束紙幣処理部２００により結束される紙幣を整理一時保留部１６０へ搬送する。また、出金搬送部１５０は、出金識別部１４８により正常な紙幣ではないと識別された紙幣、すなわちリジェクト紙幣を出金リジェクト部１５４へ搬送する。
【００５５】
出金部１５２には、出金搬送部１５０によって搬送されたバラ紙幣が集積する。そうしたバラ紙幣は、出金口１０３を介して手動で取り出すことができる。また、整理一時保留部１６０には、出金搬送部１５０によって搬送された紙幣が積層状態で集積する。整理一時保留部１６０に集積した紙幣の束は、例えば１００枚単位で、束紙幣処理部２００のアーム部２１０によって取り出された後、結束部（図３にのみ図示）２１２へ送られる。この結束部２１２は、アーム部２１０によって取り出された紙幣の束を帯封（結束）するように構成されている。
【００５６】
入金搬送部１１４、及び、出金搬送部１５０における分岐箇所には、それぞれ分岐部材１７０が設けられており、これらの分岐部材１７０によって、分岐箇所における紙幣の搬送先が制御される。また、入金搬送部１１４、下部搬送部１４６、及び、出金搬送部１５０には、それぞれ、紙幣を検出する紙幣検出センサ１８０が設けられており、分岐部材１７０によって紙幣の搬送先を制御するタイミングを決定するために利用されている。
【００５７】
次に、紙幣処理装置１０の束紙幣処理部２００について簡単に説明する。
【００５８】
束紙幣処理部２００は、バラ紙幣処理部１００から搬送されたバラ紙幣を金種別にかつ、所定枚数（例えば１００枚）毎に結束し、束紙幣を形成する。束紙幣処理部２００は、そのようにして形成した束紙幣を金種別に収納したり、装置外へ出金したりすることができる。
【００５９】
詳しくは、図１に示すように、束紙幣処理部２００は、貨幣処理装置１の左端に設置されており、筐体前面の上部に、束紙幣を排出するための出金口２１８を有している。束紙幣処理部２００の筐体内には、前述の結束部２１２が設けられており、この結束部２１２には、束紙幣搬送部（図３にも図示）２１６が接続されている。この束紙幣搬送部２１６は、結束部２１２により形成された束紙幣のうち、機外へ出金される束紙幣を出金口２１８へ搬送し、機内に収納する束紙幣を収納カセット（不図示）へ搬送する。
【００６０】
次に、硬貨処理装置２０について簡単に説明する。
【００６１】
前述の如く、硬貨処理装置２０は、バラ硬貨を処理するバラ硬貨処理部３００と、包装硬貨を処理する包装硬貨処理部４００と、を備えており、硬貨の入出金等を行うことができる。
【００６２】
バラ硬貨処理部３００は、図１に示すように、貨幣処理装置１の右端に設置されている。バラ硬貨処理部３００は、筐体上面に、入金されるバラ硬貨を受け入れるための入金口３１０を有しており、その入金口３１０から受け入れたバラ硬貨を識別した上で、例えば金種別に収納するように構成されている。また、バラ硬貨処理部３００は、筐体前面に、出金されるバラ硬貨を排出するための出金口３７０を有しており、例えば機内から搬送したバラ硬貨を、その出金口３７０から払い出すように構成されている。
【００６３】
包装硬貨処理部４００は、図１に示すように、バラ紙幣処理部１００の右隣かつ、バラ硬貨処理部３００の左隣に設置されている。包装硬貨処理部４００は、筐体前面の上部に、包装硬貨を排出するための出金口４８０を有している。包装硬貨処理部４００には、前述のバラ硬貨処理部３００が接続されており、バラ硬貨処理部３００からバラ硬貨が搬送されるよう構成されている。包装硬貨処理部４００は、バラ硬貨処理部３００から搬送されたバラ硬貨を、例えば５０枚単位で棒状に包装し、包装硬貨を形成する。包装硬貨処理部４００は、そのようにして形成した包装硬貨を金種別に収納したり、出金口４８０から払い出したりするように構成されている。
【００６４】
プリンタ３０は、例えば貨幣処理装置１の上面に配置されており、制御部５０から出力された制御信号に基づいて、種々の情報が印字された伝票を発行する。
【００６５】
操作表示部４０は、貨幣処理装置１へ情報を入力する操作部でありかつ、貨幣処理装置１の情報を出力する表示部でもある。具体的に、操作表示部４０は、バラ硬貨処理部３００の上面に立設された、一体のタッチパネルとして構成されている。この操作表示部４０は、操作者に対し、各種の情報が配置された画面を表示すると共に、操作者による手入力を受け付けて、各種の処理を開始させるように構成されている。
【００６６】
また、タッチパネルとしての操作表示部４０は、その画面に触れた状態で指を滑らせる操作、いわゆるスワイプ操作を受け付けるように構成されている。後述の如く、操作表示部４０は、そうしたスワイプ操作を受け付けたときに、画面表示を切り替えるように構成されている。
【００６７】
図３は、貨幣処理装置１の構成を示すブロック図である。
【００６８】
貨幣処理装置１は、例えば周知のマイクロコンピュータをベースとした制御部５０を備えている。制御部５０には、紙幣処理装置１０、硬貨処理装置２０、プリンタ３０、及び、操作表示部４０が、信号の送受信可能に接続されている。
【００６９】
制御部５０は、操作表示部４０からの入力信号、及び、各種センサから入力された検出信号等に基づいて制御信号を生成し、その制御信号を紙幣処理装置１０等へ出力する。紙幣処理装置１０等は、制御部５０からの制御信号にしたがって動作する。
【００７０】
制御部５０は、貨幣処理装置１において、各種の処理を実行するように構成されている。その一例として、制御部５０は、操作表示部４０が所定の操作を受け付けたとき、装置の入金部へ投入された貨幣を、その入金部から装置内へ取り込む入金処理を実行するように構成されている。入金処理は、例えば銀行の窓口取引において、顧客から受け取った貨幣を預け入れる際に実行される処理である。
【００７１】
この他、装置内へ貨幣を取り込む処理としては、例えば装填処理が挙げられる。この装填処理は、貨幣処理装置１に貨幣を補充する際に実行される処理である。
【００７２】
以下、入金処理や装填処理のような、装置内へ貨幣を取り込む処理を、「入金系処理」と総称する。
【００７３】
さらに、制御部５０は、装置内へ取り込んだ貨幣に対して、自動収集処理を実行可能に構成されている。自動収集処理を実行するように設定すると、貨幣処理装置１は、バラ貨幣の収納量が設定値（以下、「自動収集枚数」という）を超えるたびに、バラ貨幣を自動的に結束、又は、包装して収納する。自動収集処理を行うことで、バラ貨幣の収納量が自動収集枚数未満に保たれる。そのことで、バラ貨幣の収納スペースを保つことが可能になる。また、自動収集枚数未満のバラ貨幣については、バラ状態のまま収納しておくことで、バラ貨幣の出金処理を、随時、行うことが可能になる。
【００７４】
また、制御部５０は、操作表示部４０が所定の操作を受け付けたとき、貨幣を出金部へ搬送すると共に、搬送された貨幣を、その出金部から装置外へ払い出す出金処理を実行するように構成されている。出金処理は、例えば銀行の窓口取引において、顧客から預かっていた貨幣を引き出す際に実行される処理である。
【００７５】
この他、装置外へ貨幣を払い出す処理としては、例えば回収処理が挙げられる。この回収処理は、貨幣処理装置１に収納されている貨幣を回収する際に実行される処理である。
【００７６】
以下、出金処理や回収処理のような、装置外へ貨幣を払い出す処理を、「出金系処理」と総称する。
【００７７】
また、制御部５０が行う処理には、貨幣処理装置１の設定変更も含まれる。その設定項目には、例えば、操作表示部４０のタッチ音の音量、及び、表示の輝度、並びに、前述の自動収集枚数の値が含まれる。
【００７８】
このように、貨幣処理装置１は、操作表示部４０が一操作（以下、「第１操作」という）を受け付けると、制御部５０が、その第１操作に対応する一処理（以下、「第１処理」という）を開始するように構成されている。
【００７９】
ここで、本実施形態に係る操作表示部４０は、制御部５０が第１処理を実行している最中、第１処理とは関連しない第２処理を開始するための第２操作を受け付けると共に、操作者に対し、そうした第２操作を受け付けるための画面を表示するように構成されている。
【００８０】
具体的に、操作表示部４０は、制御部５０が第１処理を実行している最中、該第１処理と関連した情報が配置された第１画面を表示すると共に、第２操作を受け付けるときには、そうした第１画面から、第２操作を受け付けるための情報が配置された第２画面へ表示を切り替える（以下、「切替処理」という）ように構成されている。
【００８１】
そして、制御部５０は、第１画面から第２画面へ切り替わった後、操作表示部４０が第２操作を受け付けた場合には、第１処理を中断しかつ、第２処理を開始する（以下、「割込処理」という）ように構成されている。
【００８２】
第１処理と第２処理とは 、互いに関連しない処理である。本明細書において、「互いに関連しない処理」とは、入金系処理と出金系処理、入金系処理と設定処理、及び、出金系処理と設定変更のように、互いが独立した処理同士を示す。
【００８３】
また、第１処理のための操作を行う人と、第２処理のための操作を行う人とが異なるとき、第１処理と、第２処理とは、処理の内容に拘わらず、互いに関連しない処理である。
【００８４】
さらに、同じ人が操作を行うときでかつ、同じ処理を行うときであっても、第１処理の対象と、第２処理の対象とが異なるときは、第１処理と、第２処理とは互いに関連しない処理である。例えば、特定の口座番号への入金取引に係る第１処理と、別の口座番号への入金取引に係る第２処理とは、互いに関連しない処理である。
【００８５】
このように、本実施形態に係る貨幣処理装置１は、切替処理を実行するように構成したから、操作表示部４０が１つの場合であっても、割込処理を行うことが可能になる。このことは、以下で詳述するように、装置の双頭運用を行う上で有効となる。
【００８６】
制御部５０は、紙幣処理装置１０、及び、硬貨処理装置２０の各々において、切替処理と、割込処理とを実行することができる。
【００８７】
〈貨幣処理装置の制御例〉
以下、制御部５０が行う処理の一例として、バラ紙幣の出金処理と、その最中に行われる切替処理と、切替処理に伴って行われる割込処理とについて、操作表示部４０に表示される画面を参照しながら、具体的に説明をする。尚、以下の説明に用いる画面Ｓ１〜Ｓ３は一例であり、画面構成は、適宜、変更することができる。
【００８８】
まず、制御部５０は、操作受付前の初期画面として、操作表示部４０に待機画面（不図示）を表示する。待機画面には、操作表示部４０への接触を促すメッセージが配置されている。操作者が操作表示部４０に触れることで、制御部５０に実行させる処理を選択するメニュー画面Ｓ１に遷移するようになっている。ただし、操作者のログインが済んでいない場合には、メニュー画面Ｓ１に先立って、操作者のログインを受け付ける。操作者のログインが完了すると、ログイン画面からメニュー画面Ｓ１へ遷移する。
【００８９】
尚、ログイン方法としては、例えば、テンキーを介した操作者ＩＤの手入力、ＩＤカードを用いたカード認証、及び、カメラ等を用いた生体認証等が考えられる。
【００９０】
メニュー画面Ｓ１には、いずれかの処理を選択するためのボタンが配置されている。具体的に、図５に示す例では、各処理に対応するボタンとして、「入金」、「出金」、「両替」、「ユーザーメニュー」、「装填・回収」、「照会」、及び、「メンテナンス」等が配置されており、例えば「入金」がタッチされ、操作者による所定の操作を受け付けると、貨幣の入金処理が開始されるようになっている。ここでは、バラ紙幣の出金処理について説明する。この場合、「出金」がタッチされると、メニュー画面Ｓ１から計数画面Ｓ２へ遷移する。尚、「出金」のタッチ操作は「第１操作」の例示であり、出金処理は「第１処理」の例示である。
【００９１】
計数画面Ｓ２には、出金伝票、入金伝票、明細、テンキー、パターンボタン、及び、完了ボタン等が配置されている。操作者は、計数画面Ｓ２に配置された情報を目視することで、紙幣の入出金に関する情報を把握する。尚、計数画面Ｓ２は、「第１画面」の例示である。
【００９２】
出金処理を開始すると、制御部５０は、バラ紙幣処理部１００の紙幣繰出部１４４、下部搬送部１４６、及び、出金搬送部１５０の動作制御を通じて、金種別紙幣収納庫１４２に収納されたバラ紙幣を搬送する。搬送されたバラ紙幣は、出金識別部１４８を通過する際に一枚ずつ識別されると共に、出金部１５２へ搬送される。尚、出金識別部１４８によって識別できなかったバラ紙幣は、出金リジェクト部１５４からリジェクトされる。
【００９３】
ところで従来、貨幣処理装置に操作部が１つしかない場合、例えば、リジェクトされたバラ紙幣の枚数次第では、出金処理の最中に、金種別紙幣収納庫１４２がエンプティー状態（在高が０の状態）となる場合がある。その場合、バラ紙幣を補充する必要があるから、操作者には、出金処理をキャンセルして装填処理を指示した後、装填処理が終わり次第、再度、出金処理を指示することが要求されていた。
【００９４】
しかも、自動収集処理を実行するように設定していた場合、例えば、装填処理の最中に自動収集枚数の設定変更が必要になった場合、操作者には、装填処理をキャンセルし、装置の設定変更が完了した後、再度、装填処理を指示することが要求されていた。
【００９５】
また、例えば、出金系処理の最中に急遽、他の操作者が入金系処理、又は、その他の設定変更を実施したい場合、他の操作者は、現在の処理が完了するまで待つ必要があった。
【００９６】
本実施形態に係る貨幣処理装置１は、前述の割込処理を行うように構成したから、そうした再度の指示を行ったり、現在の処理が完了するまで待ったりする必要が無くなる。このことは、貨幣処理装置１の利便性を高める上で有効である。
【００９７】
具体的に、図５の中段から下段に示すように、タッチパネルとしての操作表示部４０に対してスワイプ操作を行うと、切替処理によって、計数画面Ｓ２から第２のメニュー画面Ｓ３に切り替わる。第２のメニュー画面Ｓ３は、第１処理（出金処理）とは関連しない第２操作を受け付けるための画面である。第２操作は、第１処理とは関連しない第２処理を開始するための操作である。
【００９８】
この例では、第２処理には、出金系処理とは関連しない処理、例えば入金系処理や、装置の設定変更が含まれる。したがって、第２操作には、「入金」、及び、「ユーザーメニュー」等のタッチ操作が含まれる。この場合、第２のメニュー画面Ｓ３には、第２処理として実行可能な処理に対応するボタンのみを表示してもよいし、全てのボタンを表示してもよい。ここで、全てのボタンを表示した場合、第２処理として実行出来ない処理に対応するボタンが押下された場合には、その処理を実行できない旨を操作者に報知するように構成してもよい。
【００９９】
また、制御部５０は、切替処理を実行した後、操作者の確認を行う。具体的に、操作表示部４０は、計数画面Ｓ２から第２のメニュー画面Ｓ３へ切り替わった後、その第２のメニュー画面Ｓ３に対するタッチ操作を受け入れる前に、操作者を確認するためのダイアログを表示するよう構成されている。このダイアログには、確認内容に対応するボタンとして、「キャンセル」、「同一操作者」、及び、「別の操作者」が配置されている。具体的に、「キャンセル」がタッチされると、切替処理をキャンセルして計数画面Ｓ２に戻る。また、「別の操作者」がタッチされると、第１処理と第２処理とで操作者が異なると判定し、制御部５０は、第２のメニュー画面Ｓ３に対するタッチ操作を受け入れる前に、別の操作者のログインを要求する。別の操作者のログインが完了すると、制御部５０は、第２のメニュー画面Ｓ３からダイアログを消去して、その第２のメニュー画面Ｓ３に対するタッチ操作を受け入れる。また、「同一操作者」がタッチされると、第１処理と第２処理とで操作者が同一であると判定し、制御部５０は、第２のメニュー画面Ｓ３からダイアログを消去して、その第２のメニュー画面Ｓ３に対するタッチ操作を受け入れる。なお、「同一操作者」がタッチされた場合でも、都度操作者のログインを要求することとしてもよいし、あるいは貨幣処理装置に設けられた図示しない人感センサ等によって、操作者の入れ替わりを検出した場合には「同一操作者」がタッチされた場合であっても操作者のログインを要求することとしてもよい。
【０１００】
尚、こうしたダイアログは、ログイン方法としてカード認証を用いた場合に、装置が同一操作者のＩＤカードを認識し続けているとき（例えば、ＩＤカードを挿入したままのとき）には不要としてもよい。また、生体認証として顔認証を用いた場合には、装置が操作者を認識することにより同一操作者か否かを判定することができるため、ダイアログによる確認を省略することが可能になる。これらの場合、操作者の確認は、制御部５０が自動的に行うことになる。
【０１０１】
第２のメニュー画面Ｓ３の構成は、前記メニュー画面Ｓ１と同じである。第２のメニュー画面Ｓ３において、例えば「入金」がタッチされると、制御部５０は、前述の割込処理を実行する。すなわち、制御部５０は、第１処理としての出金処理を中断（保留）し、入金処理を開始する。
【０１０２】
続いて、制御部５０が行う処理について、図４に示すフローチャートを参照しながら、さらに詳細に説明する。ここでは、バラ紙幣の出金処理の最中に、バラ紙幣の入金処理を割り込ませた場合について説明する。
【０１０３】
まず、ステップＴ１０１において、操作表示部４０が操作者（以下、「第１の操作者」という）のログインを受け付ける。第１の操作者によるログインを受け付けると、操作表示部４０上にメニュー画面Ｓ１が表示される。
【０１０４】
続くステップＴ１０２において、メニュー画面Ｓ１上に配置された「出金」がタッチされると、操作者による第１操作を受け付けたものとして、制御部５０は、メニュー画面Ｓ１から計数画面Ｓ２に表示を切り替える。
【０１０５】
続くステップＴ１０３において、制御部５０は、第１処理として、バラ紙幣の出金処理を開始する。具体的に、制御部５０は、操作者による操作に基づいて、収納されたバラ紙幣の繰り出しと、繰り出されたバラ紙幣の識別と、識別されたバラ紙幣の払出と、を実行する。
【０１０６】
続くステップＴ１０４において、制御部５０は、出金処理の最中に、操作表示部４０がスワイプ操作を受け付けたか否かを判定する。ここで、スワイプ操作を受け付けた場合（ステップＴ１０４：ＹＥＳ）には、ステップＴ１０６へ進んで切替処理を実行する一方、スワイプ操作を受け付けていない場合（ステップＴ１０４：ＮＯ）には、ステップＴ１０５へ進み、出金処理の対象とされたバラ紙幣の払出が完了したか否か判定する。
【０１０７】
そして、ステップＴ１０５において、バラ紙幣の払出が完了したと判定した場合（ステップＴ１０５：ＹＥＳ）には、ステップＴ１１８へ進んで出金処理の完了に関する処理を行う一方、バラ紙幣の払出が完了していない場合（ステップＴ１０５：ＮＯ）には、ステップＴ１０４へ戻り、スワイプ操作を受け付けたか否かの判定に戻る。つまり、この実施形態に係る制御部５０は、出金処理の最中、バラ紙幣の払出が完了するまで、スワイプ操作を受け付けたか否かの判定を、継続的に行うようになっている。
【０１０８】
一方で、ステップＴ１０４においてスワイプ操作を受け付けた場合、つまりステップＴ１０６へ進んだ場合、制御部５０は、切替処理を実行する。具体的に、制御部５０は、操作表示部４０上の表示画面を、計数画面Ｓ２から第２のメニュー画面Ｓ３へ切り替える。
【０１０９】
そして、ステップＴ１０７において、制御部５０は、第２のメニュー画面Ｓ３上のダイアログ（ログイン方法として手入力を用いた場合）に対するタッチ操作を介して、スワイプ操作を行った操作者が、前記第１の操作者と同一か否かを判定する。ここで、同一であった場合（ステップＴ１０７：ＹＥＳ）には、ステップＴ１０９へ進み、第２のメニュー画面Ｓ３に対するタッチ操作を受け付ける一方、異なる場合（ステップＴ１０７：ＮＯ）には、ステップＴ１０８へ進み、異なる操作者（以下、「第２の操作者」という）によるログインを受け付ける。
【０１１０】
ステップＴ１０７、及び、ステップＴ１０８から続くステップＴ１０９において、操作表示部４０は、第２のメニュー画面Ｓ３に対するタッチ操作を受け付ける。例えば、第２のメニュー画面Ｓ３上に配置された「入金」がタッチされると、操作者による第２操作を受け付けたものとして、制御部５０は、第２のメニュー画面Ｓ３から計数画面（不図示）に表示を切り替える。
【０１１１】
続くステップＴ１１０において、制御部５０は、割込処理を実行する。具体的に、制御部５０は、第１処理としての出金処理を中断する一方、第２処理としての入金処理を開始する。
【０１１２】
続くステップＴ１１１において、制御部５０は、入金処理を完了する。制御部５０は、入金処理と関連した処理として、伝票の発行を行う。伝票の発行は、プリンタ３０の動作制御を介して行われる。
【０１１３】
続くステップＴ１１２において、制御部５０は、ステップＴ１０７において操作者が入れ替わったか否かを判定する。ステップＴ１０７において操作者が入れ替わっていない場合（ステップＴ１１２：ＮＯ）つまり、ステップＴ１０１からステップＴ１１１にかけてのステップが、第１の操作者によって操作されてきた場合には、ステップＴ１１６へ進み、出金処理を再開する。この場合、操作表示部４０は、入金処理に関する計数画面から、前述の、出金処理に関する計数画面Ｓ２へ表示を自動的に切り替える。
【０１１４】
その一方で、ステップＴ１０７において操作者が入れ替わった場合（ステップＴ１１２：ＹＥＳ）つまり、ステップＴ１０４以降のステップが、第２の操作者により操作されてきた場合には、ステップＴ１１３〜Ｔ１１５へ進む。この場合、制御部５０は、第２の操作者から第１の操作者へ交代したか否かを確認する。
【０１１５】
具体的に、制御部５０は、ステップＴ１１３において、操作表示部４０がスワイプ操作を受け付けたか否かを判定する。スワイプ操作を受け付けた場合（ステップＴ１１３：ＹＥＳ）には、出金処理に関する計数画面Ｓ２へ表示を切り替える（ステップＴ１１４）と共に、ステップＴ１１５において、計数画面Ｓ２上に、操作者を確認するためのダイアログを表示する。そのダイアログには、現在の操作者が、ステップＴ１０２において出金処理を開始させた第１の操作者と同じか否かを確認する旨のメッセージが配置されている。そして、現在の操作者が、第２の操作者から第１の操作者へ戻っていない場合には、出金処理の再開をキャンセルする一方、第１の操作者へ戻っている場合には、その操作者に対して権限認証を要求する。第１の操作者による権限認証が完了すれば、ステップＴ１１６へ進んで、出金処理を再開する。
【０１１６】
尚、こうしたダイアログは、ログイン方法としてカード認証を用いた場合に、装置が同一操作者のＩＤカードを認識し続けているとき（例えば、ＩＤカードを挿入したままのとき）には不要としてもよい。また、生体認証として顔認証を用いた場合には、装置が操作者を認識することにより同一操作者か否かを判定することができるため、ダイアログによる確認を省略することが可能になる。これらの場合、操作者の確認は、制御部５０が自動的に行うことになる。
【０１１７】
このように、第１の操作者に対して権限認証を要求する構成は、出金系処理を中断したときに、貨幣を厳正に取り扱う上で有効となる。
【０１１８】
尚、ステップＴ１１３の判定がＮＯの場合には、ステップＴ１１３へ戻る。つまり、制御部５０は、スワイプ操作を受け付けるまで、ステップＴ１１３の判定を繰り返すようになっている。
【０１１９】
ステップＴ１１６から続くステップＴ１１７において、制御部５０は、出金処理の対象とされたバラ紙幣の払出が完了したか否か判定する。バラ紙幣の払出が完了したと判定した場合（ステップＴ１１７：ＹＥＳ）には、ステップＴ１１８へ進んで出金部１５２のシャッタ１０３ａを開放する。具体的に、制御部５０は、ステップＴ１０３において出金処理を開始させた操作者と、現在の操作者とが同一か否かを判定し、同じ場合には、シャッタ１０３ａを開放する。この判定は、貨幣処理装置１のログイン情報や、権限認証に基づいた情報等に基づいて行われる。その一方で、バラ紙幣の払出が完了していない場合（ステップＴ１１７：ＮＯ）には、制御部５０は、ステップＴ１１７の判定を繰り返すようになっている。
【０１２０】
続くステップＴ１１９において、制御部５０は、出金部１５２からバラ紙幣が取り出されたことが検知され次第、出金処理を完了する。
【０１２１】
〈まとめ〉
以上説明したように、操作表示部４０は、第１処理の最中に、その第１処理とは関連しない第２操作を受け付けると共に、その第２操作を受け付けるための画面（第２のメニュー画面Ｓ３）を表示する。
【０１２２】
このように、１つの操作表示部４０によって、第１処理の最中にも拘わらず、第２処理を開始するための操作を行うことができるから、製造コストを抑制しつつ、装置の双頭運用を実現することが可能になる。
【０１２３】
装置の双頭運用を実現することで、例えば出金処理の最中に、出金対象とされたバラ紙幣が収納された金種別紙幣収納庫１４２がエンプティー状態になったときに、出金処理をキャンセルして装填処理を行う代わりに、出金処理に入金処理を割り込ませることが可能になる。そうすると、金種別紙幣収納庫１４２にはバラ紙幣が補充されることになるから、出金処理をキャンセルする必要が無くなる。これにより、装填処理を避けることが可能となり、ひいては装置の利便性を高める上で有利になる。
【０１２４】
また、第２操作を受け付けるように構成したから、操作表示部４０が単体であっても、現在の操作者の処理を待つことなく、次の操作を入力することが可能になる。このこともまた、装置の利便性を高める上で有効である。
【０１２５】
また、操作表示部４０において、第１処理に関連した情報と、第２処理に関連した情報とを切り替えて表示することが可能になる。そのことで、製造コストを抑制しつつ、装置の双頭運用を実現する上で有利になる。
【０１２６】
また、制御部５０は、第１の操作者から第２の操作者へ交代したときには、その第２の操作者に対してログインを要求するようになっている。これにより、複数の操作者が入れ替わりながら操作するような状況に対応し、ひいては、装置の双頭運用を行う上で有利になる。
【０１２７】
さらに、制御部５０は、第２の操作者が操作した後、第１の操作者が再び操作する場合には、その第１の操作者に対して権限認証を要求するようになっている。これにより、複数の操作者が入れ替わりながら操作するような状況に対応し、ひいては装置の双頭運用を行う上で有利になる。
【０１２８】
また、操作表示部４０がタッチパネルとして構成されているから、第１画面と第２画面との間の切替を実現し、ひいては装置の双頭運用を行う上で有利になる。
【０１２９】
また、制御部５０は、割込処理を行うことで、第２処理を第１処理に割り込ませることが可能になる。そのことで、装置の双頭運用を行う上で有利になる。
【０１３０】
さらに、制御部５０は、出金処理において貨幣を出金するときに、現在ログインしている操作者が、出金処理を指示した操作者と同じときに、シャッタ１０３ａを開放するように構成されている。これにより、複数の操作者が入れ替わりながら操作するような状況に対応し、ひいては装置の双頭運用を行う上で有利になる。
【０１３１】
〈別の制御例〉
前記の説明では、バラ紙幣の出金処理と、その出金処理の最中に行われる切替処理、及び、割込処理とについて説明したが、そうしたケースには限られない。例えば、バラ紙幣の入金系処理の最中に、切替処理、及び、割込処理を行ってもよい。
【０１３２】
従来、貨幣処理装置に操作部が１つしかない場合、入金されるバラ紙幣の枚数次第では、入金処理の最中に、金種別紙幣収納庫１４２がフル状態（在高がフルの状態）となる場合があった。その場合、バラ紙幣を回収する必要があるから、操作者には、入金処理をキャンセルして回収処理を指示した後、回収処理が終わり次第、再度、入金処理を指示することが要求されてきた。
【０１３３】
本実施形態に係る貨幣処理装置１は、前述の割込処理を行うように構成したから、そうした再度の指示が不要になる。このことは、貨幣処理装置１の利便性を高める上で有効である。
【０１３４】
また、前記の説明では、バラ紙幣を処理する場合について説明したが、既に述べたように、束紙幣を処理する場合、バラ硬貨を処理する場合、及び、包装硬貨を処理する場合においても、前述の処理を実施可能である。
【０１３５】
また、前記の説明では、割込処理の一例として、出金系処理中に入金系処理を割り込ませる場合について説明したが、この構成には限られない。例えば、設定変更中の入金系処理や、設定変更中の出金系処理や、或いは、入金系処理中の出金系処理など、互いに関連しない処理であればよい。
【０１３６】
また、前記の説明では、切替処理に伴う処理の一例として、割込処理について説明したが、割込処理以外の処理を行うことも可能である。
【０１３７】
例えば、制御部５０は、第１画面から第２画面へ切り替わった後、操作表示部４０が第２操作を受け付けたとき、第１処理と、第２処理とを並行して実行する処理（以下、「同時処理」という）を行う、としてもよい。
【０１３８】
同時処理を行うことで、例えば、バラ紙幣の入金系処理と、包装硬貨の出金系処理と、を同時に行ったり、束紙幣の出金系処理と、貨幣処理装置１の設定変更とを同時に行ったりすることが可能になる。
【０１３９】
図６は、貨幣処理装置１が行う処理の別例を示すフローチャートである。図６に示すフローにおいて、ステップＴ２０１〜ステップＴ２０７については、詳細を省略する。つまり、操作者によるログイン操作を受け付ける（ステップＴ２０１）と、操作表示部４０上にメニュー画面が表示されて、例えば「入金」が選択される（ステップＴ２０２）と、操作者による第１操作を受け付けたものとして、メニュー画面から計数画面に表示を切り替える。そして、制御部５０が入金処理を開始する（ステップＴ２０３）。入金処理の最中に、操作表示部４０に対してスワイプ操作が行われる（ステップＴ２０４）と、制御部５０が切替処理を行って、計数画面から第２のメニュー画面へ遷移する（ステップＴ２０５）。第２のメニュー画面へ遷移すると、操作者の確認（ステップＴ２０６〜ステップＴ２０７）が行われるようになっている。
【０１４０】
続くステップＴ２０８において、操作表示部４０は、第２のメニュー画面に対するタッチ操作を受け付ける。例えば、第２のメニュー画面上に配置された「ユーザーメニュー」がタッチされると、操作者による第２操作を受け付けたものとして、制御部５０は、第２のメニュー画面から設定画面（不図示）に表示を切り替える。
【０１４１】
続くステップＴ２０９において、制御部５０は、同時処理を実行する。具体的に制御部５０は、第１処理としての入金処理を続行しながら、第２処理としての設定変更を開始する。
【０１４２】
続くステップＴ２０９において、制御部５０は、入金処理を完了する。制御部５０は、入金処理と関連した処理として、伝票の発行を行う。
【０１４３】
このように、制御部５０は、同時処理を行うことで、第１処理と第２処理とを同時に行うことが可能になる。このことは、装置の双頭運用を行う上で有利になる。
【０１４４】
また、制御部５０は、第１画面から第２画面へ切り替わった後、操作表示部４０が第２操作を受け付けたとき、第１処理を完了した後に、第２処理を開始する処理（以下、「予約処理」という）を行う、としてもよい。
【０１４５】
予約処理を行うことで、例えば、バラ紙幣の入金系処理が終わり次第、その出金系処理を自動的に開始することが可能になる。
【０１４６】
図７は、貨幣処理装置１が行う処理のさらなる別例を示すフローチャートである。図７に示すフローにおいて、ステップＴ３０１〜ステップＴ３１０については、詳細を省略する。つまり、操作者によるログイン操作を受け付ける（ステップＴ３０１）と、操作表示部４０上にメニュー画面が表示されて、例えば「出金」が選択される（ステップＴ３０２）と、操作者による第１操作を受け付けたものとして、メニュー画面から計数画面に表示を切り替える。そして、制御部５０が出金処理を開始する（ステップＴ３０３）。出金処理の最中に、操作表示部４０に対してスワイプ操作が行われる（ステップＴ３０４：ＹＥＳ）と、制御部５０が切替処理を行って、計数画面から第２のメニュー画面へ遷移する（ステップＴ３０８）。スワイプ操作が行われたか否かの判定は、貨幣の払出中に行われるようになっており、スワイプ操作が行われないまま払出を完了した場合（ステップＴ３０４：ＮＯ、かつ、ステップＴ３０５：ＹＥＳ）には、シャッタを開放し（ステップＴ３０６）、出金処理を完了する（ステップＴ３０７）。その一方で、第２のメニュー画面へ遷移した場合、操作者の確認（ステップＴ３０９〜ステップＴ３１０）が行われるようになっている。
【０１４７】
続くステップＴ３１１において、操作表示部４０は、第２のメニュー画面に対するタッチ操作を受け付ける。例えば、第２のメニュー画面上に配置された「入金」がタッチされると、操作者による第２操作を受け付けたものとして、制御部５０は、第２のメニュー画面から計数画面に表示を切り替える。
【０１４８】
そして、ステップＴ３１２において、制御部５０は、予約処理を実行する。具体的に制御部５０は、第１処理としての出金処理を続行すると共に、ステップＴ３１３〜Ｔ３１５に示すように、その第１処理が終わり次第、第２処理としての入金処理を開始する。入金処理が完了する（ステップＴ３１６）と、制御部５０は処理を終える。
【０１４９】
このように、制御部５０は、同時処理を行うことで、第１処理の最中に、第２処理を予約することが可能になる。このことは、装置の双頭運用を行う上で有利になる。
【０１５０】
《その他の実施形態》
前記の実施形態では、操作表示部４０に対するスワイプ操作に基づいて、制御部５０が切替処理を行うように構成されていたが、この構成には限られない。例えば、操作表示部４０に対するフリック操作に基づいて、制御部５０が切替処理を行うように構成してもよいし、操作表示部４０上に表示されたタブを押下することにより、制御部５０が切替処理を行うように構成してもよいし、物理的なスイッチ（いわゆるハードウェアスイッチ）を押下することにより、制御部５０が切替処理を行うように構成してもよい。
【０１５１】
また、前記の実施形態では、操作表示部４０に対する操作に基づいて切替処理がなされるように構成されていたが、この構成には限られない。例えば、第１画面において別の操作者がカード認証等を行うことにより、別の操作者がログインすると共に、第２画面へ自動的に遷移するように構成してもよい。
【０１５２】
また、前記の実施形態では、制御部５０が切替処理を行うと、計数画面Ｓ２の全体が、第２のメニュー画面Ｓ３へ切り替わるように構成されていたが、その構成には限られない。図９に示すように、計数画面Ｓ２の右方から選択ツリーをスライド表示させてもよい。
【０１５３】
また、前記の実施形態では、割込処理、同時処理、及び、予約処理の一例として、２つの処理に対して適用した場合について説明したが、３つ以上の処理に適用してもよい。例えば、第２処理の最中に、第３の処理を割り込ませてもよいし、３つ以上の処理を同時に実行させてもよいし、３つ以上の処理を予約してもよい。
【０１５４】
また、前記の実施形態では、２人の操作者が操作する場合について説明したが、本実施形態に係る貨幣処理装置１は、３人以上の操作者に対応可能である。
【０１５５】
尚、前記実施形態に係る貨幣処理装置１は、外部の操作端末２と通信可能に接続し、システム化（貨幣処理システムＳ）して用いてもよい。
【０１５６】
図８は、貨幣処理システムＳのシステム構成を例示する図である。図８に示す例では、貨幣処理装置１には、操作端末２として、タブレット２１と、パーソナルコンピュータ２２と、が接続されている。貨幣処理装置１と、タブレット２１及びパーソナルコンピュータ２２とが、本実施形態に係る貨幣処理システムＳを構成している。このように、貨幣処理装置１に接続される端末は１台に限らず、複数台に接続し、いずれか１つの端末を選択的に切り替えて用いることもできる。
【０１５７】
特に、操作端末としてタブレット２１を用いた場合、そのタブレット２１に対するスワイプ操作に基づいて、前述の切替処理を行うように構成してもよい。
【符号の説明】
【０１５８】
Ｓ      貨幣処理システム
１      貨幣処理装置
２      操作端末
２１    タブレット
２２    パーソナルコンピュータ
１０    紙幣処理装置
１００  バラ紙幣処理部
２００  束紙幣処理部
２０    硬貨処理装置
３００  バラ硬貨処理部
４００  包装硬貨処理部
４０    操作表示部（表示部、操作部）
５０    制御部
【図１】
2018049306.tif 000003
【図２】
2018049306.tif 000004
【図３】
2018049306.tif 000005
【図４】
2018049306.tif 000006
【図５】
2018049306.tif 000007
【図６】
2018049306.tif 000008
【図７】
2018049306.tif 000009
【図８】
2018049306.tif 000010
【図９】
2018049306.tif 000011